(57)【要約】本願は信号処理の技術分野に関し、信号送信方法及びアクティブスタイラスペン、信号受信方法及びタッチパネルを提供する。信号送信方法は、伝達対象の情報を表すｎ（ｎは１より大きい整数）個のバイナリコードに対してそれぞれ振幅変調を行って、順に配列されるｎ個のコード振幅変調信号を得るステップと、順に配列されるｎ個のコード振幅変調信号を連続的に送信し、配列番号が奇数であるコード振幅変調信号を予め設定された第１周波数で送信し、配列番号が偶数であるコード振幅変調信号を予め設定された第２周波数で送信するステップとを含む。本願は、ｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させる。【選択図】図５
2019533208.tif 000002
【特許請求の範囲】
【請求項１】
信号送信方法であって、アクティブスタイラスペンに適用され、前記方法は、
伝達対象の情報を表すｎ（ｎは１より大きい整数）個のバイナリコードに対してそれぞれ振幅変調を行って、順に配列されるｎ個のコード振幅変調信号を得るステップと、
順に配列されるｎ個の前記コード振幅変調信号を連続的に送信し、配列番号が奇数である前記コード振幅変調信号を予め設定された第１周波数で送信し、配列番号が偶数である前記コード振幅変調信号を予め設定された第２周波数で送信するステップと、を含むことを特徴とする信号送信方法。
【請求項２】
前記第１周波数及び前記第２周波数はいずれもベース周波数の整数倍であり、且つ前記第１周波数と前記第２周波数との差のモジュラスは前記ベース周波数の２倍以上であることを特徴とする請求項１に記載の信号送信方法。
【請求項３】
各前記コード振幅変調信号のタイムスライス長は同じであることを特徴とする請求項１に記載の信号送信方法。
【請求項４】
前記バイナリコードが零である場合、前記コード振幅変調信号は零であることを特徴とする請求項１に記載の信号送信方法。
【請求項５】
前記伝達対象の情報は前記アクティブスタイラスペンのペン先圧力又は前記アクティブスタイラスペンの機能キー押圧信号を含むことを特徴とする請求項１に記載の信号送信方法。
【請求項６】
信号受信方法であって、タッチパネルに適用され、前記方法は、
ｎ＋１個の検出タイムスライスを利用して、アクティブスタイラスペンが連続的に送信したｎ個のコード振幅変調信号を連続的に検出し、ｎ個の前記コード振幅変調信号のうち、配列番号が奇数である前記コード振幅変調信号は予め設定された第１周波数を有し、配列番号が偶数である前記コード振幅変調信号は予め設定された第２周波数を有し、第ｉ（ｉ＝１、２、３…ｎ）個の前記検出タイムスライス及び第ｉ＋１個の前記検出タイムスライスに検出された信号には完全な第ｉ個の前記コード振幅変調信号が含まれるステップと、
ｎ＋１個の前記検出タイムスライスに検出された信号に基づいて、ｎ個の前記コード振幅変調信号の信号強度を算出するステップと、
ｎ個の前記コード振幅変調信号の信号強度をそれぞれ二値化して、伝達対象の情報を表すｎ個のバイナリコードを得るステップと、を含むことを特徴とする信号受信方法。
【請求項７】
第ｉ個の前記検出タイムスライスのタイムスライス長は第ｉ個の前記コード振幅変調信号のタイムスライス長に等しく、第ｎ＋１個の前記検出タイムスライスのタイムスライス長は最初のｎ個の前記検出タイムスライスのタイムスライス長のうちの１つのタイムスライス長に等しいことを特徴とする請求項６に記載の信号受信方法。
【請求項８】
第ｎ＋１個の前記検出タイムスライスのタイムスライス長は最初のｎ個の前記検出タイムスライスのタイムスライス長のうちの最小タイムスライス長に等しいことを特徴とする請求項７に記載の信号受信方法。
【請求項９】
各前記コード振幅変調信号のタイムスライス長は同じであることを特徴とする請求項６〜８のいずれかに記載の信号受信方法。
【請求項１０】
第ｉ個の前記コード振幅変調信号の信号強度Ｂｉｔｉは、
ｉが奇数である場合、Ｂｉｔｉ＝Ｒｉ＿ｆ１＋Ｒｉ＋１＿ｆ１であり、
ｉが偶数である場合、Ｂｉｔｉ＝Ｒｉ＿ｆ２＋Ｒｉ＋１＿ｆ２であり、
ただし、Ｒｉ＿ｆ１は第ｉ個の前記検出タイムスライスにおいて前記第１周波数を有する前記コード振幅変調信号の信号強度を示し、Ｒｉ＿ｆ２は第ｉ個の前記検出タイムスライスにおいて前記第２周波数を有する前記コード振幅変調信号の信号強度を示し、Ｒｉ＋１＿ｆ１は第ｉ＋１個の前記検出タイムスライスにおいて前記第１周波数を有する前記コード振幅変調信号の信号強度を示し、Ｒｉ＋１＿ｆ２は第ｉ＋１個の前記検出タイムスライスにおいて前記第２周波数を有する前記コード振幅変調信号の信号強度を示すことを特徴とする請求項６に記載の信号受信方法。
【請求項１１】
アクティブスタイラスペンであって、
少なくとも１つのプロセッサと、
前記少なくとも１つのプロセッサと通信接続されるメモリと、を備え、
前記メモリには前記少なくとも１つのプロセッサにより実行可能な命令が記憶され、前記命令が前記少なくとも１つのプロセッサにより実行されることにより、前記少なくとも１つのプロセッサは請求項１〜５のいずれかに記載の信号送信方法を実行できることを特徴とするアクティブスタイラスペン。
【請求項１２】
タッチパネルであって、
少なくとも１つのプロセッサと、
前記少なくとも１つのプロセッサと通信接続されるメモリと、を備え、
前記メモリには前記少なくとも１つのプロセッサにより実行可能な命令が記憶され、前記命令が前記少なくとも１つのプロセッサにより実行されて、前記少なくとも１つのプロセッサは請求項６〜１０のいずれかに記載の信号受信方法を実行できることを特徴とするタッチパネル。
【発明の詳細な説明】
【技術分野】
【０００１】
本願は信号処理の技術分野に関し、特に信号送信方法及びアクティブスタイラスペン、信号受信方法及びタッチパネルに関する。
【背景技術】
【０００２】
静電容量式タッチパネルの普及に伴い、静電容量式アクティブスタイラスペンの応用もますます広くなっている。ユーザが静電容量式アクティブスタイラスペンを用いる場合、静電容量式タッチパネルはパネル本体のコード化信号とアクティブスタイラスペンのコード化信号を時分割検出し、静電容量式タッチパネルのパネル本体検出時間はアクティブスタイラスペンのレポートレートに影響を与える重要な要素であり、レポートレートが高いほど、パネル本体のアクティブスタイラスペンの書き込みに対する応答が速い。ユーザのアクティブスタイラスペンの書き込み体験及びタッチ体験に対する要求の向上に伴い、アクティブスタイラスペンのレポートレートに対する要求も高くなっている。
【発明の概要】
【発明が解決しようとする課題】
【０００３】
発明者は、従来技術には少なくとも以下の問題が存在していると見出した。従来の符号化方式において、図１に示すように、アクティブスタイラスペンが信号送信を行う場合、ペン側とパネル側との同期問題のため、パネル側により検出された各ビット（ｂｉｔ）の信号が互いに影響を与えないように確保するために、各ｂｉｔ間にフォールトトレラント時間ｔを残す必要があり、それにより、アクティブスタイラスペンが占有するタッチパネルのパネル本体の検出時間は長く、アクティブスタイラスペンのレポートレートに影響を与え、パネル本体の耐干渉能力が弱い。
【課題を解決するための手段】
【０００４】
本願の一部の実施例は、信号送信方法及びアクティブスタイラスペン、信号受信方法及びタッチパネルを提供することを目的とし、ｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させる。
【０００５】
本願の実施例は信号送信方法を提供し、アクティブスタイラスペンに適用され、方法は、伝達対象の情報を表すｎ（ｎは１より大きい整数）個のバイナリコードに対してそれぞれ振幅変調を行って、順に配列されるｎ個のコード振幅変調信号を得るステップと、順に配列されるｎ個のコード振幅変調信号を連続的に送信し、配列番号が奇数であるコード振幅変調信号を予め設定された第１周波数で送信し、配列番号が偶数であるコード振幅変調信号を予め設定された第２周波数で送信するステップと、を含む。
【０００６】
本願の実施例はさらに信号受信方法を提供し、タッチパネルに適用され、方法は、ｎ＋１個の検出タイムスライスを利用して、アクティブスタイラスペンが連続的に送信したｎ個のコード振幅変調信号を連続的に検出し、ｎ個の前記コード振幅変調信号のうち、配列番号が奇数である前記コード振幅変調信号は予め設定された第１周波数を有し、配列番号が偶数である前記コード振幅変調信号は予め設定された第２周波数を有し、第ｉ（ｉ＝１、２、３…ｎ）個の前記検出タイムスライス及び第ｉ＋１個の前記検出タイムスライスに検出された信号には完全な第ｉ個の前記コード振幅変調信号が含まれるステップと、ｎ＋１個の検出タイムスライスに検出された信号に基づいて、ｎ個のコード振幅変調信号の信号強度を算出するステップと、ｎ個のコード振幅変調信号の信号強度をそれぞれ二値化して、伝達対象の情報を表すｎ個のバイナリコードを得るステップと、を含む。
【０００７】
本願の実施例はさらにアクティブスタイラスペンを提供し、少なくとも１つのプロセッサと、少なくとも１つのプロセッサと通信接続されるメモリと、を備え、メモリには少なくとも１つのプロセッサにより実行可能な命令が記憶され、命令が少なくとも１つのプロセッサにより実行されることにより、少なくとも１つのプロセッサは上記信号送信方法を実行できる。
【０００８】
本願の実施例はさらにタッチパネルを提供し、少なくとも１つのプロセッサと、少なくとも１つのプロセッサと通信接続されるメモリと、を備え、メモリには少なくとも１つのプロセッサにより実行可能な命令が記憶され、命令が少なくとも１つのプロセッサにより実行されて、少なくとも１つのプロセッサは上記信号受信方法を実行できる。
【０００９】
本願の実施例は、従来技術に比べて、アクティブスタイラスペンが伝達対象の情報を表すｎ個のバイナリコードに対してそれぞれ振幅変調を行い、且つｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させ、また、タッチパネルが連続的に送信された各コード振幅変調信号を検出する場合、隣接する２つの検出タイムスライスに１つの完全なコード振幅変調信号を収集して区別することができ、従って、検出は依然として正確である。
【００１０】
また、信号送信方法において、第１周波数及び第２周波数はいずれもベース周波数の整数倍であり、且つ第１周波数と第２周波数との差のモジュラスはベース周波数の２倍以上である。本実施例では、第１周波数及び第２周波数の具体的な設定方式を提供しており、第１周波数と第２周波数の間の相互影響を回避できる。
【００１１】
また、信号送信方法において、各コード振幅変調信号のタイムスライス長は同じである。本実施例では、各コード振幅変調信号のタイムスライス長を同じであるように設定することで、コード振幅変調信号の送信複雑度を低減させるとともに、パネル側検出の複雑度を低減させることができる。
【００１２】
また、信号送信方法において、バイナリコードが零である場合、コード振幅変調信号は零である。本実施例では、バイナリコードが零である場合、該タイムスライス内にいずれの信号も送信せず、バイナリコードが零である信号の簡単な処理方式を提供する。
【００１３】
また、信号送信方法において、伝達対象の情報はアクティブスタイラスペンのペン先圧力又はアクティブスタイラスペンの機能キー押圧信号を含む。本実施例は伝達対象の情報の具体的な内容を提供する。
【００１４】
また、信号受信方法において、第ｉ個の検出タイムスライスのタイムスライス長は第ｉ個のコード振幅変調信号のタイムスライス長に等しく、第ｎ＋１個の検出タイムスライスのタイムスライス長は最初のｎ個の検出タイムスライスのタイムスライス長のうちの１つのタイムスライス長に等しい。本実施例ではｎ＋１個の検出タイムスライスのタイムスライス長の具体的な設定方式を提供する。
【００１５】
また、信号受信方法において、第ｎ＋１個の検出タイムスライスのタイムスライス長は最初のｎ個の検出タイムスライスのタイムスライス長のうちの最小タイムスライス長に等しい。本実施例は、タッチパネルの検出時間をさらに短縮させることができる。
【００１６】
また、信号受信方法において、各コード振幅変調信号のタイムスライス長は同じである。本実施例では、コード振幅変調信号の送信複雑度を低減させるとともに、パネル側検出の複雑度を低減させることができる。
【００１７】
また、信号受信方法において、第ｉ個のコード振幅変調信号の信号強度Ｂｉｔｉは、ｎが偶数であり、ｉが奇数である場合、Ｂｉｔｉ＝Ｒｉ＿ｆ１＋Ｒｉ＋１＿ｆ１であり、ｉが偶数である場合、Ｂｉｔｉ＝Ｒｉ＿ｆ２＋Ｒｉ＋１＿ｆ２であり、ただし、Ｒｉ＿ｆ１は第ｉ個の検出タイムスライスにおいて第１周波数を有するコード振幅変調信号の信号強度を示し、Ｒｉ＿ｆ２は第ｉ個の検出タイムスライスにおいて第２周波数を有するコード振幅変調信号の信号強度を示し、Ｒｉ＋１＿ｆ１は第ｉ＋１個の検出タイムスライスにおいて第１周波数を有するコード振幅変調信号の信号強度を示し、Ｒｉ＋１＿ｆ２は第ｉ＋１個の検出タイムスライスにおいて第２周波数を有するコード振幅変調信号の信号強度を示す。本実施例はコード振幅変調信号の信号強度の具体的な計算式を提供する。
【図面の簡単な説明】
【００１８】
１つ又は複数の実施例をそれに対応する図面によって例示的に説明し、これらの例示的な説明は実施例を限定するものではなく、図面における同一符号を有する素子は類似する素子であり、特に説明しない限り、図面は比例を制限しない。
【図１】従来技術のアクティブスタイラスペンの信号送信を示す模式図である。
【図２】本願の第１実施例に係るアクティブスタイラスペンとタッチパネルとの通信を示す構造模式図である。
【図３】本願の第１実施例に係るアクティブスタイラスペンの信号送信を示す模式図である。
【図４】本願の第１実施例に係る信号送信方法を示すフローチャートである。
【図５】本願の第２実施例に係るアクティブスタイラスペンの信号送信及びパネル側検出の一例を示す模式図である。
【図６】本願の第２実施例に係るアクティブスタイラスペンの信号送信及びパネル側検出の別の例を示す模式図である。
【図７】本願の第２実施例に係る信号受信方法を示すフローチャートである。
【発明を実施するための形態】
【００１９】
本願の目的、技術案及び利点をより明確にするために、以下、図面及び実施例を参照して、本願の一部の実施例をより詳しく説明する。勿論、ここで説明される具体的な実施例は本願を解釈するためのものに過ぎず、本願を限定するものではない。
【００２０】
本願の第１実施例は、信号送信方法に関し、アクティブスタイラスペンに適用され、信号送信方法は、伝達対象の情報を表すｎ（ｎは１より大きい整数）個のバイナリコードに対してそれぞれ振幅変調を行って、順に配列されるｎ個のコード振幅変調信号を得るステップと、順に配列されるｎ個のコード振幅変調信号を連続的に送信し、配列番号が奇数であるコード振幅変調信号を予め設定された第１周波数で送信し、配列番号が偶数であるコード振幅変調信号を予め設定された第２周波数で送信するステップと、を含む。
【００２１】
本実施例は、従来技術に比べて、アクティブスタイラスペンが伝達対象の情報を表すｎ個のバイナリコードに対してそれぞれ振幅変調を行い、且つｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つパネル本体の耐干渉能力を向上させ、また、タッチパネルが連続的に送信された各コード振幅変調信号を検出する場合、隣接する２つの検出タイムスライスに１つの完全なコード振幅変調信号を収集して区別することができ、従って、検出は依然として正確である。
【００２２】
以下、本実施例の信号送信方法の実現詳細を具体的に説明し、以下の内容は理解を容易にするために提供される実現詳細に過ぎず、本解決手段を実施するために必要なものではない。
【００２３】
本実施例の信号送信方法はアクティブスタイラスペンに適用され、アクティブスタイラスペンはタッチパネルと通信し、図２はアクティブスタイラスペンとタッチパネルとの通信を示す模式図である。アクティブスタイラスペンは静電容量式アクティブスタイラスペンであってもよい。
【００２４】
以下、まず、アクティブスタイラスペンとタッチパネルとの通信方式を説明する。
【００２５】
タッチパネルは、誘導層１１、タッチコントローラ１２及びマルチプレクサ１３を備え、誘導層１１は駆動チャンネルＹ及び誘導チャンネルＸを備え、駆動チャンネルＹ及び誘導チャンネルＸがマルチプレクサ１３を介してタッチコントローラ１２に接続され、タッチコントローラ１２は誘導回路１２１及び駆動回路１２２をさらに備える。タッチパネルのパネル側検出タイミングにおいて、１周期Ｔ内に、パネル側は、相互容量検出、ノイズ検出、アクティブスタイラスペン信号検出を順に完了し、パネル側が単位時間内に実行する周期Ｔの回数は、パネル側のレポートレートである。
【００２６】
アクティブスタイラスペン信号検出の段階で、タッチコントローラ１２はマルチプレクサ１３を介して駆動チャンネルＹ及び誘導チャンネルＸを制御して誘導回路１２１に接続し、アクティブスタイラスペン１００のペン先が信号をタッチパネルに送信すると、アクティブスタイラスペン１００と駆動チャンネルＹ及び誘導チャンネルＸとの間に結合容量が存在し、信号が結合容量によって駆動チャンネルＹ及び誘導チャンネルＸに結合され、誘導回路１２１により信号が検出され、検出過程で、タッチパネルは信号を受信するが、信号を送信しない。アクティブスタイラスペン１００のペン先から送信される信号は方形波、正弦波又は三角波等であってもよい。
【００２７】
図３はアクティブスタイラスペンの信号送信及びパネル側検出を示す模式図である。アクティブスタイラスペン１００の信号送信は、ペン先がＢｅａｃｏｎビーコン信号を送信して、タッチパネルとのタイミング同期を実現する第１段階と、ペン先が伝達対象の情報を表すｎ個のバイナリコードを連続的に送信する第２段階と、の２つの段階を含む。
【００２８】
本実施例の信号送信方法の具体的なプロセスは図４に示される。アクティブスタイラスペン１００の信号送信の第１段階は従来技術と同じで、Ｂｅａｃｏｍビーコン信号を送信することであり、本実施例は信号送信の第２段階で改良し、具体的には、
ステップ１０１、伝達対象の情報を表すｎ個のバイナリコードに対してそれぞれ振幅変調を行って、順に配列されるｎ個のコード振幅変調信号を得る。
【００２９】
具体的には、アクティブスタイラスペン１００は、まず伝達対象の情報を表すｎ個のバイナリコードに対してそれぞれ振幅変調を行って、順に配列されるｎ個のコード振幅変調信号を得る。具体的な振幅変調方式については、バイナリコードが１である信号振幅を第１振幅に変調させ、バイナリコードが０である信号振幅を第２振幅に変調させ、且つ第１振幅が第２振幅より大きく、好ましくは、第２振幅が０であり、すなわち、バイナリコードが０である信号振幅を０に変調させ、この時、アクティブスタイラスペン１００はバイナリコードが０であるタイムスライスにコード振幅変調信号を送信せず、バイナリコードが０である信号の簡単な処理方式を提供する。バイナリコードのタイムスライスとは、該バイナリコードに対応するコード振幅変調信号のタイムスライスであり、各バイナリコードに対応するコード振幅変調信号の割り当てられる送信期間を指し、アクティブスタイラスペン１００は各送信期間内に相応なコード振幅変調信号を送信する。伝達対象の情報はアクティブスタイラスペン１００のペン先の圧力又はアクティブスタイラスペン１００の機能キー押圧信号であってもよく、ペン先の圧力が圧力センサ等の部材により測定され、測定された後に伝達対象の情報として符号化されてパネル側に送信され、機能キーの押圧信号も同様に処理され、機能キーが押圧されると、機能に対応する伝達対象の情報が発生し（伝達対象の情報を得るために、いくつかの信号処理を行う可能性がある）、続いて符号化されてパネル側に送信される。
【００３０】
ステップ１０２、順に配列されるｎ個のコード振幅変調信号を連続的に送信し、配列番号が奇数であるコード振幅変調信号を予め設定された第１周波数で送信し、配列番号が偶数であるコード振幅変調信号を予め設定された第２周波数で送信する。
【００３１】
具体的には、アクティブスタイラスペン１００の内部には、第１周波数ｆ１及び第２周波数ｆ２の２種の送信周波数が予め設定され、ｎ個のコード振幅変調信号を連続的に送信し、且つ配列番号が奇数であるコード振幅変調信号を第１周波数ｆ１で送信し、配列番号が偶数であるコード振幅変調信号を第２周波数ｆ２で送信する。図４に示される例では、８つのコード振幅変調信号が含まれ（すなわち、８つのバイナリコードで１つの伝達対象の情報を表す）、アクティブスタイラスペンは、この８つのコード振幅変調信号を、その配列順序に応じて、交互する第１周波数ｆ１、第２周波数ｆ２で連続的に送信し、図に示すように、第１、第３、第５、第７のコード振幅変調信号は第１周波数ｆ１を有し、第２、第４、第６、第８のコード振幅変調信号は第２周波数ｆ２を有する。なお、図４にはコード振幅変調信号の数が例示的に示されているが、本実施例はコード振幅変調信号の具体的な数を制限しない。
【００３２】
本実施例では、第１周波数及び第２周波数はベース周波数の整数倍であり、且つ第１周波数と第２周波数との差のモジュラスはベース周波数の２倍以上であり、ベース周波数はコード振幅変調信号のタイムスライスのタイムスライス長の逆数である。好ましくは、各コード振幅変調信号のタイムスライス長は同じであり、すなわち、各バイナリコードに対応するコード振幅変調信号の送信持続時間は同じであり、たとえば、各コード振幅変調信号のタイムスライス長は１００ｕｓであり、対応するベース周波数は１０ＫＨｚであり、第１周波数及び第２周波数は１０ＫＨｚの整数倍として選択され、たとえば、第１周波数及び第２周波数はそれぞれ２０ＫＨｚ及び４０ＫＨｚである。第１周波数と第２周波数との差のモジュラスをベース周波数の２倍以上であるように設定することにより、第１周波数と第２周波数との間の相互影響を回避することができる。
【００３３】
各コード振幅変調信号のタイムスライス長を同じであるように設定することにより、ペン側のコード振幅変調信号の送信複雑度を低減させるとともに、パネル側検出の複雑度を低減させることができる。
【００３４】
ただし、本実施例は各コード振幅変調信号のタイムスライス長の設定を制限せず、たとえば、同一周波数で送信される各コード振幅変調信号のタイムスライス長がいずれも同じであり、且つ異なる周波数で送信される各コード振幅変調信号のタイムスライス長が同じではないように設定してもよく、各コード振幅変調信号のタイムスライス長がいずれも同じではなく又はそのうちいくつかのコード振幅変調信号のタイムスライス長が同じであるように設定してもよい。各コード振幅変調信号のタイムスライス長が同じではない場合、最小タイムスライス長の逆数をベース周波数とする。
【００３５】
本願の第２実施例は信号受信方法に関し、タッチパネルに適用され、タッチパネルのアクティブスタイラスペン信号検出段階で、アクティブスタイラスペンにより第１実施例に記載の信号送信方法に基づいて送信されたコード振幅変調信号を検出する。
【００３６】
図５、図６に示すように、アクティブスタイラスペン信号検出段階で、タッチパネルはＢｅａｃｏｎ信号を検出した場合、先ず３つのタイムスライス（Ｘ  ＴＦＯ／Ｘ／Ｙ）の検出を完了し、Ｘ  ＴＦＯタイムスライスは同期誤差の調整時間ｅｔを計算し、Ｘ／Ｙタイムスライスはペン先の座標を計算する。パネル側は、計算された調整時間ｅｔに基づいて遅延Ｔ１を調整して、コード検出の開始時点を調整し、パネル側とペン側との同期誤差ｅｒｒｏを許容範囲内にすることで、ペン先により連続的に送信されたｎ個のバイナリコードのすべてを検出できることを確保する。コード検出の同期誤差ｅｒｒｏが各コード振幅変調信号のタイムスライス長のうちの最小タイムスライス長の半分に制御される必要があり、たとえば、最小タイムスライス長が１００ｕｓである場合、コード検出の同期誤差が５０ｕｓ以内に制御される必要がある。
【００３７】
コード検出の開始時点を決定すると、本実施例の信号受信方法を開始し、具体的なプロセスは図７に示される。
【００３８】
ステップ２０１、ｎ＋１個の検出タイムスライスを利用して、アクティブスタイラスペンが連続的に送信したｎ個のコード振幅変調信号を連続的に検出する。
【００３９】
具体的には、コード検出の開始時点から、ｎ＋１個の検出タイムスライスを利用して、アクティブスタイラスペン１００が連続的に送信したｎ個のコード振幅変調信を連続的に検出する。アクティブスタイラスペン１００が送信したｎ個のコード振幅変調信号のうち、配列番号が奇数であるコード振幅変調信号は予め設定された第１周波数ｆ１を有し、配列番号が偶数であるコード振幅変調信号は第１周波数と異なる予め設定された第２周波数ｆ２を有する。
【００４０】
アクティブスタイラスペン１００がｎ個のコード振幅変調信号を送信する場合、送信の進みや遅れが存在する可能性があるため、パネル側が各コード振幅変調信号の完全な受信を確保するために、各コード振幅変調信号に対応する受信ウィンドウは該コード振幅変調信号のタイムスライス長より大きい必要があり、且つ、前後にいずれも１つの同期誤差ｅｒｒｏの時間を予め残す必要がある。従って、隣接する２つの検出タイムスライスを１つのコード振幅変調信号の検出ウィンドウとし、すなわち、第ｉ（ｉ＝１、２、３…ｎ）個の前記検出タイムスライス及び第ｉ＋１個の前記検出タイムスライスに検出された信号には完全な第ｉ個の前記コード振幅変調信号が含まれることを満たす必要がある。又は、第ｉ個のコード振幅変調信号の検出を完了するために、２つの隣接する検出タイムスライス（第ｉ個の前記検出タイムスライス及び第ｉ＋１個の前記検出タイムスライス）を必要とする。
【００４１】
パネル側検出の各検出タイムスライスは、第ｉ（ｉ＝１、２、３…ｎ）個の検出タイムスライスのタイムスライス長は第ｉ個のコード振幅変調信号のタイムスライス長に等しく、第ｎ＋１個の検出タイムスライスのタイムスライス長は最初のｎ個の検出タイムスライスのタイムスライス長のうちの１つのタイムスライス長に等しいという条件を満たす必要がある。好ましくは、第ｎ＋１個の検出タイムスライスのタイムスライス長は最初のｎ個の検出タイムスライスのタイムスライス長のうちの最小タイムスライス長に等しく、それにより、タッチパネルの検出時間をさらに短縮させることができる。
【００４２】
本実施例では、アクティブスタイラスペン１００はそれぞれ交互する第１周波数ｆ１、第２周波数ｆ２でｎ個のコード振幅変調信号を連続的に送信し、パネル側検出時に、同一（１つ）の検出タイムスライス内に隣接する２つのコード振幅変調信号を同時に検出でき、隣接する２つのコード振幅変調信号の送信周波数が異なるため、パネル側は依然として、各検出タイムスライス内の２つのコード振幅変調信号を区別することができ、それによりｎ個のコード振幅変調信号を正確に検出することができる。
【００４３】
一例では、図５に示すように、アクティブスタイラスペン１００はそれぞれ交互する第１周波数ｆ１、第２周波数ｆ２で８つのコード振幅変調信号を連続的に送信し、第１周波数ｆ１及び第２周波数ｆ２のコード振幅変調信号のタイムスライス長はいずれも同じで、１００ｕｓであり、その場合、同期誤差ｅｒｒｏは各コード振幅変調信号のタイムスライス長のうちの最小タイムスライス長の半分で、５０ｕｓである。パネル側検出時に、９つの検出タイムスライス（Ｒ１〜Ｒ９）を利用して８つのコード振幅変調信号の連続的な検出を完了する。第ｉ個の検出タイムスライスのタイムスライス長が第ｉ個のコード振幅変調信号のタイムスライス長に等しく、第１周波数ｆ１及び第２周波数ｆ２のコード振幅変調信号のタイムスライス長がいずれも１００ｕｓであるため、最初の８つの検出タイムスライスのタイムスライス長はいずれも１００ｕｓであり、各コード振幅変調信号のタイムスライス長がいずれも１００ｕｓであるため、第９個の検出タイムスライスのタイムスライス長は各コード振幅変調信号のタイムスライス長と同じで、１００ｕｓである。
【００４４】
別の例では、図６に示すように、アクティブスタイラスペン１００はそれぞれ交互する第１周波数ｆ１、第２周波数ｆ２で８つのコード振幅変調信号を連続的に送信し、第１周波数ｆ１のコード振幅変調信号のタイムスライス長はいずれも同じで、１００ｕｓであり、第２周波数ｆ２のコード振幅変調信号のタイムスライス長はいずれも同じで、２００ｕｓであり、同期誤差は各コード振幅変調信号のタイムスライス長のうちの最小タイムスライス長の半分で、５０ｕｓである。パネル側検出時に、９つの検出タイムスライス（Ｒ１〜Ｒ９）を利用して８つのコード振幅変調信号の連続的な検出を完了し、第ｉ個の検出タイムスライスのタイムスライス長が第ｉ個のコード振幅変調信号のタイムスライス長に等しいため、検出タイムスライスＲ１、Ｒ３、Ｒ５、Ｒ７のタイムスライス長はいずれも１００ｕｓであり、検出タイムスライスＲ２、Ｒ４、Ｒ６、Ｒ８のタイムスライス長はいずれも２００ｕｓであり、第ｎ＋１個の検出タイムスライスのタイムスライス長は最初のｎ個の検出タイムスライスのタイムスライス長のうちの１つのタイムスライス長に等しく、すなわち、検出タイムスライスＲ９のタイムスライス長は１００ｕｓであってもよく２００ｕｓであってもよく、好ましくは、検出タイムスライスＲ９のタイムスライス長は１００ｕｓである（図中、これを例とする）。
【００４５】
なお、図５には各コード振幅変調信号のタイムスライス長がいずれも同じであることを例として説明し、図６には同一周波数のコード振幅変調信号のタイムスライス長がいずれも同じであり、異なる周波数のコード振幅変調信号のタイムスライス長が同じではないことを例として説明したが、これに限定されず、各コード振幅変調信号のタイムスライス長がいずれも同じでなくてもよく、そのうちのいくつかのコード振幅変調信号のタイムスライス長が同じであってもよく、各検出タイムスライスは上記条件を満たせればよい。
【００４６】
ステップ２０２、ｎ＋１個の検出タイムスライスに検出された信号に基づいて、ｎ個のコード振幅変調信号の信号強度を算出する。
【００４７】
具体的には、第ｉ個のコード振幅変調信号が第ｉ個の検出タイムスライス及び第ｉ＋１個の検出タイムスライスに検出されるため、第ｉ個の検出タイムスライス及び第ｉ＋１個の検出タイムスライスに基づいて、第ｉ個のコード振幅変調信号の信号強度を計算する必要がある。第ｉ個のコード振幅変調信号の信号強度Ｂｉｔｉは、
ｉが奇数である場合、Ｂｉｔｉ＝Ｒｉ＿ｆ１＋Ｒｉ＋１＿ｆ１であり、
ｉが偶数である場合、Ｂｉｔｉ＝Ｒｉ＿ｆ２＋Ｒｉ＋１＿ｆ２であり、
ただし、Ｒｉ＿ｆ１は第ｉ個の検出タイムスライスにおいて第１周波数を有するコード振幅変調信号の信号強度を示し、Ｒｉ＿ｆ２は第ｉ個の検出タイムスライスにおいて第２周波数を有するコード振幅変調信号の信号強度を示し、Ｒｉ＋１＿ｆ１は第ｉ＋１個の検出タイムスライスにおいて第１周波数を有するコード振幅変調信号の信号強度を示し、Ｒｉ＋１＿ｆ２は第ｉ＋１個の検出タイムスライスにおいて第２周波数を有するコード振幅変調信号の信号強度を示し、以下、図５又は図６を参照して具体的に説明する。
【００４８】
第１のコード振幅変調信号の信号強度Ｂｉｔ１は、Ｂｉｔ１＝Ｒ１＿ｆ１＋Ｒ２＿ｆ１であり、
第２のコード振幅変調信号の信号強度Ｂｉｔ２は、Ｂｉｔ２＝Ｒ２＿ｆ２＋Ｒ３＿ｆ２であり、
第３のコード振幅変調信号の信号強度Ｂｉｔ３は、Ｂｉｔ３＝Ｒ３＿ｆ１＋Ｒ４＿ｆ１であり、
第４のコード振幅変調信号の信号強度Ｂｉｔ４は、Ｂｉｔ４＝Ｒ４＿ｆ２＋Ｒ５＿ｆ２であり、
第５のコード振幅変調信号の信号強度Ｂｉｔ５は、Ｂｉｔ５＝Ｒ５＿ｆ１＋Ｒ６＿ｆ１であり、
第６のコード振幅変調信号の信号強度Ｂｉｔ６は、Ｂｉｔ６＝Ｒ６＿ｆ２＋Ｒ７＿ｆ２であり、
第７のコード振幅変調信号の信号強度Ｂｉｔ７は、Ｂｉｔ７＝Ｒ７＿ｆ１＋Ｒ８＿ｆ１であり、
第８のコード振幅変調信号の信号強度Ｂｉｔ８は、Ｂｉｔ８＝Ｒ８＿ｆ２＋Ｒ９＿ｆ２である。
【００４９】
ステップ２０３、ｎ個のコード振幅変調信号の信号強度をそれぞれ二値化して、伝達対象の情報を表すｎ個のバイナリコードを得る。
【００５０】
具体的には、タッチパネルの内部に第１閾値及び第２閾値が予め設定され、且つ第１閾値が第２閾値より大きく、タッチパネルは計算されたｎ個のコード振幅変調信号の信号強度を第１閾値、第２閾値と比較し、ｎ個のコード振幅変調信号のうち、信号強度が第１閾値より大きいコード振幅変調信号のバイナリコードを１とし、信号強度が第２閾値より小さいコード振幅変調信号のバイナリコードを０とすることにより、アクティブスタイラスペン１００が送信した伝達対象の情報を表すｎ個のバイナリコードを得る。
【００５１】
本実施例は、従来技術に比べて、アクティブスタイラスペンが伝達対象の情報を表すｎ個のバイナリコードに対してそれぞれ振幅変調を行い、且つｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させ、また、タッチパネルが連続的に送信された各コード振幅変調信号を検出する場合、隣接する２つの検出タイムスライスに１つの完全なコード振幅変調信号を収集して区別することができ、従って、検出は依然として正確である。
【００５２】
本願の第３実施例はアクティブスタイラスペンに関し、少なくとも１つのプロセッサと、少なくとも１つのプロセッサと通信接続されるメモリと、を備え、メモリには少なくとも１つのプロセッサにより実行可能な命令が記憶され、命令が少なくとも１つのプロセッサにより実行されることにより、少なくとも１つのプロセッサは第１実施例の信号送信方法を実行できる。
【００５３】
本実施例は、従来技術に比べて、アクティブスタイラスペンが伝達対象の情報を表すｎ個のバイナリコードに対してそれぞれ振幅変調を行い、且つｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させ、また、タッチパネルが連続的に送信された各コード振幅変調信号を検出する場合、隣接する２つの検出タイムスライスに１つの完全なコード振幅変調信号を収集して区別することができ、従って、検出は依然として正確である。
【００５４】
本願の第４実施例はタッチパネルに関し、少なくとも１つのプロセッサと、少なくとも１つのプロセッサと通信接続されるメモリと、を備え、メモリには少なくとも１つのプロセッサにより実行可能な命令が記憶され、命令が少なくとも１つのプロセッサにより実行されることにより、少なくとも１つのプロセッサは第２実施例の信号受信方法を実行できる。
【００５５】
本実施例は、従来技術に比べて、アクティブスタイラスペンが伝達対象の情報を表すｎ個のバイナリコードに対してそれぞれ振幅変調を行い、且つｎ個のコード振幅変調信号を、交互する第１周波数と第２周波数で連続的に送信することにより、各コード振幅変調信号間のフォールトトレラント時間をなくし、同数のコード振幅変調信号の送信時間を短縮させ、その分、パネル側がコード振幅変調信号の検出を完了するのに必要な時間を短縮させ、それによりレポートレートを向上させ、且つタッチパネルの耐干渉能力を向上させ、また、タッチパネルが連続的に送信された各コード振幅変調信号を検出する場合、隣接する２つの検出タイムスライスに１つの完全なコード振幅変調信号を収集して区別することができ、従って、検出は依然として正確である。
【００５６】
当業者であれば、上記各実施例が本願を実現する具体的な実施例であり、実際の応用において、本願の精神と範囲を逸脱することなく、形式や詳細を様々に変更することができると理解できる。
【図１】
2019533208.tif 000003
【図２】
2019533208.tif 000004
【図３】
2019533208.tif 000005
【図４】
2019533208.tif 000006
【図５】
2019533208.tif 000007
【図６】
2019533208.tif 000008
【図７】
2019533208.tif 000009
【国際調査報告】
2019533208.tif 000010
2019533208.tif 000011
2019533208.tif 000012
2019533208.tif 000013